(57)【要約】      （修正有）【課題】ウエイトを着脱加減する操作が簡易でスムーズに行われることができ、操作性が向上する重量調整可能な亜鈴を提供する。【解決手段】複数のウエイトは、溝が形成され、該溝のウエイトの軸心位置辺りが拡大されて軸孔にされ、ロッドは、両端面に開口があり、それぞれ第１の係合部材と上下方向沿いの複数の保持リブが設けられて、開口が軸孔に対応するようにウエイトの溝内に受容されて隣り合う保持リブによりウエイトを保持するように形成された２つの保持部材がロッドの両端部に固定され、それぞれ内周面に雌ねじが形成され、第１の係合部材と摺動且つ脱着可能に係合する第２の係合部材が設けられ、且つ軸孔に嵌め込まれるように形成された２つのスリーブがロッド内両端の開口に摺動可能に取付けられ、２つのねじ棒がそれぞれのねじの一端が対応する２つのスリーブ内の雌ねじに螺入され、他端が開口から対応する保持部材を通過して突出している。【選択図】図１
0003127418.tif 000002
【実用新案登録請求の範囲】
【請求項１】
ロッドに複数のウエイトが脱着自在に設けられる重量調整可能な亜鈴であって、
前記複数のウエイトは、それぞれ中心部から１条の外周縁の一か所に開口する溝が形成され、該溝の前記ウエイトの軸心位置辺りが拡大されて軸孔にされ、前記ロッドは、両端面に開口がある中空体であり、それぞれ第１の係合部材と上下方向沿いの複数の保持リブが設けられて、前記ロッドの開口が前記ウエイトの軸孔に対応するように前記ウエイトにおける溝内に受容されて隣り合う前記保持リブにより前記ウエイトを保持するように形成された２つの保持部材が前記ロッドの両端部に固定され、
それぞれ内周面に雌ねじが形成され、前記第１の係合部材と摺動且つ脱着可能に係合する第２の係合部材が設けられ、且つ前記ウエイトの軸孔に嵌め込まれるように形成された２つのスリーブが前記ロッド内両端の開口近くに摺動可能に取付けられ、
２つのねじ棒がそれぞれのねじの一端が対応する前記２つのスリーブ内の雌ねじに螺入され、他端が前記ロッドの開口から対応する前記保持部材を通過して突出し、
また、前記保持部材が前記ロッドの開口が前記ウエイトの軸孔に対応するよう前記ウエイトにおける溝内に嵌挿受容される時に、前記ねじ棒が前記他端から回転されると、対応する前記スリーブは、前記第１の係合部材と前記第２の係合部材との係合を介して前記ねじ棒の回転にともなって前記ねじ棒の軸線沿いに伸縮摺動し順次所定数の前記ウエイトの軸孔位置に停止することができ、前記軸孔により前記スリーブが抜けた分の前記ウエイトを外すことができることを特徴とする重量調整可能な亜鈴。
【請求項２】
前記ロッドの両端近くの外周面に２つのフランジが配置され、
前記２つの保持部材は、それぞれ前記ロッドの開口に対応してその間にスペースをあけて対応する前記フランジに固定された上下２保持座からなっていることを特徴とする請求項１に記載の重量調整可能な亜鈴。
【請求項３】
前記保持部材における第１の係合部材としては、前記各保持座の前記スペースに臨む面に前記ねじ棒の軸線に沿ってガイド溝が設けられ、
前記スリーブにおける第２の係合部材としては、前記各スリーブの外側にある先端に前記ガイド溝に摺動可能に上下２突起が形成されていることを特徴とする請求項２に記載の重量調整可能な亜鈴。
【請求項４】
前記各フランジに上より前記ロッドに至る第１の孔口が形成され、
前記ロッドの前記第１の孔口に対応する箇所に前記第１の孔口と合わせて上より前記スリーブに至る第２の孔口が形成され、
前記各スリーブの外周面に前記ウエイトを計数する目盛りが配置されて、前記スリーブの摺動に伴って前記スリーブが嵌め込まれた前記ウエイトの数量または重量に対応する前記目盛りが前記第２の孔口と上下対応する箇所に摺動することを特徴とする請求項２に記載の重量調整可能な亜鈴。
【請求項５】
前記ウエイトを置くための、平板に複数の凹溝を形成する複数の突条を並設してなる台座が更に附設されることを特徴とする請求項１に記載の重量調整可能な亜鈴。
【請求項６】
前記各ねじ棒におけるねじの隣り合うねじとのピッチと、前記保持リブの隣り合う保持リブとのピッチとは等しいように構成されていることを特徴とする請求項１に記載の重量調整可能な亜鈴。
【請求項７】
前記ねじ棒を回す操作用の回転部材を更に備え、
前記回転部材は、前記スペースに対応して貫通孔を有するよう前記保持部材に装着された取付け座と、前記保持部材とともに該取付け座を挟むように前記スペースと前記貫通孔を通過した前記ねじ棒の前記他端と一体に設けられてなるノブとを有し、
前記ノブには、孔内に圧縮ばねが固定されためくら孔が設けられ、且つ該圧縮ばねの先端に前記めくら孔の外に付勢するボールが配置され、
前記取付け座には、口径が前記ボールの直径より小さい円孔が前記直孔に対応して設けられていることを特徴とする請求項２に記載の重量調整可能な亜鈴。
【考案の詳細な説明】
【技術分野】
【０００１】
本考案は、ロッドに複数のウエイトが脱着自在に設けられる重量調整可能な亜鈴に関する。
【背景技術】
【０００２】
従来、使用者の体力、トレーニング目的等に応じてウエイトを換えることができるようにした亜鈴としては、図１２、１３に示すような例がある（特許文献１）。
【０００３】
文献1によれば、この亜鈴は、ロッド１３に複数のウエイト１２が脱着自在に設けられる重量調整可能なものであって、主として、手で握るためのロッド１３と、ロッド１３の先端部に脱着自在に装着される複数のプレート状ウエイト１２と、ウエイト１２を定置するための台座１０とを備えている。
【０００４】
複数のウエイト１２は、それぞれ中央部から周縁部の一カ所に開口するよう溝１２２が形成され、該溝１２２の軸心部位が拡大されて軸孔１２１となっている。
【０００５】
台座１０は、両端部に複数の平行状突出壁１０１によりウエイト１２を定位させる複数の凹溝１０２を形成している。
【０００６】
ロッド１３の両端部には、軸孔１２１に挿通してウエイト１２を一定間幅に保持するための嵌合溝１３２を複数備えた保持部材１３１が配置され、保持部材１３１には先端部より軸孔１２１と対応する部位にロッド１３の端部に達する嵌合溝１３３が形成されてあって滑りプラグ１４がロッド１３の内部に摺動できるように嵌挿され、複数のウエイト１２の各々の軸孔１２１を挿し通すことができる。
【０００７】
更に、保持部材１３１には、前記嵌合溝１３２が両面側にウエイト１２が溝１２２を介して嵌め込めるように平行状に設けられる共に、両側嵌合溝１３２の中間位置に平行して係止孔１３４が開けてある。係止孔１３４、１３４…は孔径が孔同士より大となっており、互いに重複して孔径より幅狭く連通するスロット１３５となっている。
【０００８】
ウエイト１２を着脱セットする手段１５としては、プラグ１４のねじ孔１４１に螺着されたピン１５４により、圧縮ばね１５３によりスリップ管１５１を押圧付勢した状態に保持させた構成による。
【０００９】
スリップ管１５０は、大小違う外径にされてあり、下部の小径部１５２は保持部材１３１のスロット１３５内のみを自由に横向移動でき、上段の大径部１５１は個々の係止孔１３４に挿入することができる。
【００１０】
従って、スリップ管１５０のピン１５４沿い上下動によりプラグ１４を長手沿いに移動したり特定の係止孔１３４に挿入したりすることができる。そして、プラグ１４が抜けたらウエイト１２は外すことができるようになる。プラグ１４のウエイト１２に対する嵌め込み、取外しにより、ウエイト１２をロッド１３に脱着することができる。
【特許文献１】実用新案登録第３０９６３６３号明細書
【考案の開示】
【考案が解決しようとする課題】
【００１１】
しかしながら、前記のような亜鈴では、ウエイトを交換する時、ピン１５４に対するスライド、移動の後ウエイト１２の軸孔１２１に嵌め込む一連の複雑な操作が必要であり、使用者にとって手間がかかるという欠点が残されている。
【００１２】
本考案は、前記欠点に鑑みてなされたものであり、ウエイトを着脱加減する操作が簡易でスムーズに行われることができ、操作性が向上する重量調整可能な亜鈴を提供することを目的とする。
【課題を解決するための手段】
【００１３】
前記目的を達成するために、本考案は、ロッドに複数のウエイトが脱着自在に設けられる重量調整可能な亜鈴であって、前記複数のウエイトは、それぞれ中心部から１条の外周縁の一か所に開口する溝が形成され、該溝の前記ウエイトの軸心位置辺りが拡大されて軸孔にされ、前記ロッドは、両端面に開口がある中空体であり、それぞれ第１の係合部材と上下方向沿いの複数の保持リブが設けられて、前記ロッドの開口が前記ウエイトの軸孔に対応するように前記ウエイトにおける溝内に受容されて隣り合う前記保持リブにより前記ウエイトを保持するように形成された２保持部材が前記ロッドの両端部に固定され、それぞれ内周面に雌ねじが形成され、前記第１の係合部材と摺動且つ脱着可能に係合する第２の係合部材が設けられ、且つ前記ウエイトの軸孔に嵌め込まれるように形成された２つのスリーブが前記ロッド内両端の開口近くに摺動可能に取付けられ、２つのねじ棒がそれぞれのねじの一端が対応する前記２つのスリーブ内の雌ねじに螺入され、他端が前記ロッドの開口から対応する前記保持部材を通過して突出し、また、前記保持部材が前記ロッドの開口が前記ウエイトの軸孔に対応するよう前記ウエイトにおける溝内に嵌挿受容される時に、前記ねじ棒が前記他端から回転されると、対応する前記スリーブは、前記第１の係合部材と前記第２の係合部材との係合を介して前記ねじ棒の回転にともなって前記ねじ棒の軸線沿いに伸縮摺動し順次所定数の前記ウエイトの軸孔位置に停止することができ、前記軸孔により前記スリーブが抜けた分の前記ウエイトを外すことができることを特徴とする重量調整可能な亜鈴を提供する。
【００１４】
前記ロッドの両端近くの外周面に２つのフランジが配置され、前記２つの保持部材は、それぞれ前記ロッドの開口に対応してその間にスペースをあけて対応する前記フランジに固定された上下２保持座からなっているようにしてもよい。
【００１５】
また、前記保持部材における第１の係合部材としては、前記各保持座の前記スペースに臨む面に前記ねじ棒の軸線に沿ってガイド溝が設けられ、前記スリーブにおける第２の係合部材としては、前記各スリーブの外側にある先端に前記ガイド溝に摺動可能に上下２突起が形成されるように構成することが好ましい。
【００１６】
また、前記各フランジに上より前記ロッドに至る第１の孔口が形成され、前記ロッドの前記第１の孔口に対応する箇所に前記第１の孔口と合わせて上より前記スリーブに至る第２の孔口が形成され、前記各スリーブの外周面に前記ウエイトを計数する目盛りが配置されて、前記スリーブの摺動に伴って前記スリーブが嵌め込まれた前記ウエイトの数量または重量に対応する前記目盛りが前記第２の孔口と上下対応する箇所に摺動することが好ましい。
【００１７】
前記亜鈴において、不使用の時、前記ウエイトを置くための、平板に複数の凹溝を形成する複数の突条を並設してなる台座が更に附設されることが好ましい。
【００１８】
また、前記各ねじ棒におけるねじの隣り合うねじとのピッチと、前記保持リブの隣り合う保持リブとのピッチとは等しいように構成されていることが好ましい。
【００１９】
前記亜鈴は更に、前記ねじ棒を回す操作用の回転部材を更に備え、前記回転部材は、前記スペースに対応して貫通孔を有するよう前記保持部材に装着された取付け座と、前記保持部材とともに該取付け座を挟むように前記スペースと前記貫通孔を通過した前記ねじ棒の前記他端と一体に設けられてなるノブとを有し、前記ノブには、孔内に圧縮ばねが固定されためくら孔が設けられ、且つ該圧縮ばねの先端に前記めくら孔の外に付勢するボールが配置され、前記取付け座には、口径が前記ボールの直径より小さい円孔が前記直孔に対応して設けられているようにしてもよい。
【考案の効果】
【００２０】
本考案の重量調整可能な亜鈴によれば、前記ねじ棒を回転させることだけにより、前記スリーブは前記ねじ棒の回転にともなって前記ねじ棒の軸線沿いに伸縮摺動し所定数の前記ウエイトの軸孔に嵌め込んだり抜いたりすることができるので、亜鈴の重量の調整操作が非常に簡単で、スムーズに行われることができる。
【考案を実施するための最良の形態】
【００２１】
以下、図面を参照しながら本考案の実施形態を説明する。
【００２２】
図１、２、７に示すように、本考案の好適な実施形態の重量調整可能な亜鈴は、ロッド２０に複数のウエイト１００、１００、…、１００が脱着自在に設けられるものであって、主としてロッド２０と、８つのウエイト１００と、台座１１０とを備えている。（この実施形態において、ロッド２０に８つのウエイト１００が脱着自在に設けられるようになっているが、特にこれに限定されず、ロッド２０に装着されるウエイト１００の数量の設計を適宜にすることができる）
図２、３に示すように、８つのウエイト１００は、それぞれ中心部から１条の外周縁の一か所に開口する溝１０３が形成され、該溝１０３のウエイト１００の軸心位置辺りが拡大されて軸孔１０１にされている。
【００２３】
台座１１０は、ウエイト１００を置くための、平板に複数の凹溝１１３を形成する複数の突条１１２を並設してなる。
【００２４】
ロッド２０は、両端面に開口がある中空体であり、その両端近くの外周面に２つのフランジ３０が配置されている。なお、ロッド２０の中間部に好ましく柔軟性と滑り止め効果を図るための発泡体１２０が被覆されている。
【００２５】
２つのフランジ３０は、それぞれロッド２０に外嵌する内フランジ３１と、該内フランジ３１に外嵌する外フランジ３２とより構成されている。
【００２６】
また、それぞれ上下方向沿いの複数の保持リブ７６が設けられて、ロッド２０の開口がウエイト１００の軸孔１０１に対応するようウエイト１００における溝１０３内に嵌挿受容されて隣り合う保持リブ７６によりウエイト１００を保持するように形成された２つの保持部材７０がロッド２０の両端部に固定さている。
【００２７】
２つの保持部材７０は、それぞれロッド２０の開口に対応してその間にスペース７２をあけてねじ３１１によって対応する内フランジ３１にねじ止めされた上下２保持座７１からなっている。
【００２８】
更に、それぞれ外周面にウエイト１００を計数する目盛り６０が配置され、内周面に雌ねじ４５が形成され（図３参照）、且つウエイト１００の軸孔１０１に嵌め込まれるように形成された２つのスリーブ４０がロッド２０の内両端の開口近くに摺動可能に取付けられている。
【００２９】
そして、２つのねじ棒５０が、それぞれのねじ５４の一端が対応するスリーブ４０内の雌ねじ４５に螺入され、他端がロッド２０の開口から２つの保持座７１の間のスペース７２を通過して突出している。
【００３０】
ちなみに、各ねじ棒５０における雄ねじ５４の隣り合う雄ねじ５４とのピッチと、保持リブ７６の隣り合う保持リブ７６とのピッチとは等しいように構成されている。
【００３１】
また、各保持座７１のスペース７２に臨む面にねじ棒５０の軸線に沿ってガイド溝７５が設けられ、各スリーブ４０の外側にある先端にガイド溝７５と摺動可能に係合する上下２突起４７が形成されている。
【００３２】
各外フランジ３２に上よりロッド２０に至る第１の孔口３２４が形成され、ロッド２０の第１の孔口３２４に対応する箇所に第１の孔口３２４と合わせて上よりスリーブ４０に至る第２の孔口２３が形成されている。
【００３３】
それより、図６に示すように、スリーブ４０の摺動に伴ってスリーブ４０が嵌め込まれたウエイト１００の数量または重量に対応する目盛り６０が第２の孔口２３と上下対応する箇所に摺動するため、使用者は簡単に該対応する目盛り６０を読取ってロッド２０に装着されたウエイト１００に関するデータが分かるようになる。本実施形態では、目盛り６０は、ウエイト１００の数量を表示するデジタル目盛りである。
【００３４】
更に、ねじ棒５０を回す操作用の回転部材９０を備えている。
【００３５】
図４、５に示すように、回転部材９０は、スペース７２に対応して貫通孔９１１を有するよう２つのねじ９１２によって上下２保持座７１に装着された取付け座９１と、上下２保持座７１とともに該取付け座９１を挟むように前記スペース７２と貫通孔９１１を通過したねじ棒５０の前記他端と一体に設けられてなるノブ９２とを有する。
【００３６】
ここで、ねじ棒５０の前記他端にねじ棒５０の軸線に沿って上下２つの案内溝５６が設けられ、ノブ９２には、孔内に上下から突出た２つの凸起９２２でねじ棒５０の案内溝５６に係止するよう竪穴９２１が貫通孔９１１に対応して設けられている。そして、ねじ９６を介してノブ９２がねじ棒５０と一体に締結されている。
【００３７】
また、ノブ９２には、孔内に圧縮ばね９４が固定されためくら孔９２３が設けられ、且つ該圧縮ばね９４の先端にめくら孔９２３の外に付勢するボール９５が配置され、取付け座９１には、口径がボール９５の直径より小さい円孔９１３がめくら孔９２３に対応して設けられている。
【００３８】
それにより、使用者がノブ９２を回してねじ棒５０を回転させる時に、ボール９５の円孔９１３内に出没することを介して確実に一回りを回したことが分かる。
【００３９】
次に、図７〜図１１を参照して前記実施形態の重量調整可能な亜鈴の操作動作を説明する。左右両側の重量調整用の各部材と操作は同一であり、両側ごとに同じまたは異なる重量に調整することができる。以下、片側を代表として両側ごとに同じ重量に調整する例を説明する。
【００４０】
普段、ウエイト１００が台座１１０に受けて収容される。保持部材７０がロッド２０の開口がウエイト１００の軸孔１０１に対応するようウエイト１００における溝１０３内に受容される。
【００４１】
使用する時に、ノブ９２を回すと、ねじ棒５０がそれと同時に回転され、対応するスリーブ４０はガイド溝７５と突起４７との係合を介してねじ棒５０の回転にともなってねじ棒５０の軸線沿いにロッド２０の開口外方向へ摺動し図７のように１つのウエイト１００の軸孔１０１位置に停止することができる。
【００４２】
そして、重量を増加しようとする場合に、ノブ９２を更に二回り回すと、対応するスリーブ４０は前述と同様にロッド２０の開口外方向へ摺動し、図７から図８のように３つのウエイト１００の軸孔１０１位置に停止することができる。それから、図９に示すように、両側で６つのウエイト１００が装着した亜鈴を台座１１０から持ち上げればよい。
【００４３】
一方、重量を減らしようとする場合に、ノブ９２を逆方向に一回り回すと、対応するスリーブ４０は前述と同様にロッド２０の開口内方向へ摺動し、図８から図１０のように２つのウエイト１００の軸孔１０１位置に停止することができる。それから、図１１に示すように、両側で４つのウエイト１００が装着した亜鈴を台座１１０から持ち上げればよい。
【００４４】
以上、本考案の好適な実施形態について説明したが、本考案は前記実施形態に限定して狭義に解釈されるものではなく、即ち本考案の精神の範囲内において種々の変形や変更が可能である。
【産業上の利用可能性】
【００４５】
以上説明したように、本考案の重量調整可能な亜鈴によれば、ウエイトを交換する操作が簡易でスムーズに行われることが可能で、操作性が向上する。
【図面の簡単な説明】
【００４６】
【図１】本考案の好適な実施形態の重量調整可能な亜鈴と台座を示す前面分解模式図。
【図２】前記実施形態の亜鈴の部分分解斜視図。
【図３】前記実施形態の亜鈴におけるスリーブとウエイトの部分分解斜視図。
【図４】前記実施形態の亜鈴における回転部材部の部分分解斜視図。
【図５】図４に対応して示す断面図。
【図６】前記実施形態の亜鈴の上面図。
【図７】前記実施形態の亜鈴のスリーブが１つのウエイトに嵌め込まれた状態を示す縦断面図。
【図８】前記実施形態の亜鈴のスリーブが３つのウエイトに嵌め込まれた状態を示す縦断面図。
【図９】図８に対応して３つのウエイトが装着した亜鈴を台座から持ち上げる状態を示す前面模式図。
【図１０】前記実施形態の亜鈴のスリーブが２つのウエイトに嵌め込まれた状態を示す縦断面図。
【図１１】図１０に対応して２つのウエイトが装着した亜鈴を台座から持ち上げる状態を示す前面模式図。
【図１２】従来の重量調整可能な亜鈴の一例の斜視図。
【図１３】前記従来の亜鈴の分解斜視図。
【符号の説明】
【００４７】
２０…ロッド、２３…第２の孔口、３０…フランジ、３１…内フランジ、３１１…ねじ、３２…外フランジ、３２４…第１の孔口、４０…スリーブ、４５…雌ねじ、４７…突起、５０…ねじ棒、５４…雄ねじ、５６…案内溝、６０…目盛り、７０…保持部材、７１…保持座、７２…スペース、７５…ガイド溝、７６…保持リブ、９０…回転部材、９１…取付け座、９１１…貫通孔、９１２…ねじ、９１３…円孔、９２…ノブ、９２１…竪穴、９２２…凸起、９２３…めくら孔、９４…圧縮ばね、９５…ボール、９６…ねじ、１００…ウエイト、１０１…軸孔、１０３…溝、１１０…台座、１１２…突条、１１３…凹溝、１２０…発泡体。
【図１】
0003127418.tif 000003
【図２】
0003127418.tif 000004
【図３】
0003127418.tif 000005
【図４】
0003127418.tif 000006
【図５】
0003127418.tif 000007
【図６】
0003127418.tif 000008
【図７】
0003127418.tif 000009
【図８】
0003127418.tif 000010
【図９】
0003127418.tif 000011
【図１０】
0003127418.tif 000012
【図１１】
0003127418.tif 000013
【図１２】
0003127418.tif 000014
【図１３】
0003127418.tif 000015